(57)【特許請求の範囲】
【請求項１】
防弾材で構成された筒状で、人体の首周りを保護する首プロテクタと、
防弾材で構成されたシート状で、前記首プロテクタが挿入される装着孔が形成され、人体の首下周りを保護する首下プロテクタと、
前記首プロテクタの外周面の下端部に固定されるとともに、前記首プロテクタの外周面の全周に延び、前記首プロテクタが前記装着孔に挿入された状態で前記首下プロテクタを前記首プロテクタの下端から所定距離以上に位置させる帯状のストッパとを備える、
ことを特徴とする防弾具。
【請求項２】
前記首プロテクタが前記首下プロテクタの装着孔に挿入された状態の前記首プロテクタと前記首下プロテクタとを外形状に沿って覆うとともに、前記首プロテクタおよび前記首下プロテクタに固定されるカバーを備える、
ことを特徴とする請求項１に記載の防弾具。
【請求項３】
前記首下プロテクタが、人体の前面側に位置する前面プロテクタと、人体の背面側に位置する背面プロテクタとから構成され、前記前面プロテクタと背面プロテクタとが人体の両肩の稜線に沿って接合されている、
ことを特徴とする請求項１または２のいずれか１項に記載の防弾具。
【請求項４】
前記首プロテクタが既存の防弾服の首挿入孔に挿入できるように前記首プロテクタの外径が設定され、前記首プロテクタを前記首挿入孔に対して挿入または外すことで、前記既存の防弾服に着脱自在となっていることを特徴とする請求項１から３のいずれか１項に記載の防弾具。
【請求項５】
防弾材で構成された筒状で、人体の首周りを保護する首プロテクタと、
防弾材で構成され、前記首プロテクタが挿入される装着孔が形成され、人体の首より下側を保護する胴部プロテクタと、
前記首プロテクタの外周面の下端部に固定されるとともに、前記首プロテクタの外周面の全周に延び、前記首プロテクタが前記装着孔に挿入された状態で前記胴部プロテクタの装着孔の周縁部を前記首プロテクタの下端から所定距離以上に位置させる帯状のストッパとを備える、
ことを特徴とする防弾服。
【発明の詳細な説明】
【技術分野】
【０００１】
この発明は、銃弾や刃物などから人体を保護する防弾具および防弾服に関し、特に、人体の首を保護する防弾具および防弾服に関する。
【背景技術】
【０００２】
銃弾や刃物などから人体を保護する防弾チョッキ（防弾服）には、高い防弾性能、防刃物性能を備え、しかも軽量で着用感に優れたものが知られている（例えば、特許文献１参照。）。この防弾チョッキは、特殊な防弾材で構成されたカバーシートの中央部に、人体の首を挿入する孔が形成され、この孔に首を通して、カバーシートの前面部と背面部とを面ファスナなどで接続（固定）することで、人体に装着されるものである。そして、このようにして装着した状態では、カバーシートの孔から首が突き出、カバーシートの前面部で人体胴部の前面を保護するものである。
【特許文献１】特開２０００−２４１０９７号公報
【発明の開示】
【発明が解決しようとする課題】
【０００３】
ところで、銃弾はどこから飛来し、人体のどこに当たるかわからず、人体の首に当たる場合もある。これに対し、上記特許文献１に記載されたような防弾チョッキでは、カバーシートの孔から首が突き出、カバーシートから首が露出した状態となるため、人体の首を銃弾などから保護することができない。
【０００４】
そこでこの発明は、人体の首を銃弾などから的確に保護することができる防弾具および防弾服を提供することを目的とする。
【課題を解決するための手段】
【０００５】
ここで、人体の首を銃弾などから保護するには、防弾材で人体の首周りを覆うことが最も簡単で効果的と考えられるが、本発明者は、調査、研究の結果、防弾材で首周りを単に覆うだけでは、首を的確に保護することができないことを解明した。すなわち、図７に示すように、首周りを防弾材１００で筒状に覆った状態で、銃弾Ｍが防弾材１００の端部（筒の上下端部）に当たると、銃弾Ｍは防弾材１００で止まらず、その軌道を変えて（曲がって）人体に向かうようになる。これは、強度が弱い方に銃弾Ｍが向かうためであり、銃弾Ｍが防弾材１００の端部に当たった場合には、人体を的確に保護することができない。この結果、首（人体）を的確に保護するには、銃弾Ｍが防弾材１００の端部に当たらないようにすることが必要である、という結論に至った。
【０００６】
また、本発明者の調査、研究の結果、図８に示すような構成とした場合にも、首（人体）を的確に保護することができないことが判明した。すなわち、繊維製の防弾材で構成され、筒状で人体の首周りを保護する首プロテクタ１０１と、人体の首下周りを保護する首下プロテクタ１０２とを備え、首プロテクタ１０１と首下プロテクタ１０２のそれぞれを袋状のカバー１０１Ａ、１０２Ａで覆う。そして、首プロテクタ１０１の下端と首下プロテクタ１０２の内端（内側の端）とを当接した状態で、首プロテクタ１０１のカバー１０１Ａと首下プロテクタ１０２のカバー１０２Ａとを接続する。このような構成では、首プロテクタ１０１の下端から２ｃｍほどの領域および、首下プロテクタ１０２の内端から２ｃｍほどの領域では、銃弾Ｍが止まらないことが判明した。すなわち、首プロテクタ１０１の下端から約３ｃｍと、首下プロテクタ１０２の内端から約３ｃｍとの合計約６ｃｍの領域では、無防備な状態になることが判明した。このため、首（人体）を確実に保護するには、首プロテクタ１０１の下端から約３ｃｍの領域に、銃弾Ｍが当たらないようにすることが必要である、という結論に至った。
【０００７】
さらには、本発明者の調査、研究の結果、図９に示すように、繊維製の防弾材１０３を折り曲げて、人体の首周りと首下周りを保護する構成とした場合、折り曲げ部１０３Ａにおいて銃弾Ｍが貫通する確率が非常に高いことが判明した。
【０００８】
以上のことから、上記目的を達成するために請求項１に記載の発明は、防弾材で構成された筒状で、人体の首周りを保護する首プロテクタと、防弾材で構成されたシート状で、前記首プロテクタが挿入される装着孔が形成され、人体の首下周りを保護する首下プロテクタと、前記首プロテクタの外周面の下端部に固定されるとともに、前記首プロテクタの外周面の全周に延び、前記首プロテクタが前記装着孔に挿入された状態で前記首下プロテクタを前記首プロテクタの下端から所定距離以上に位置させる帯状のストッパとを備える、ことを特徴とする防弾具である。
【０００９】
請求項２に記載の発明は、請求項１に記載の防弾具において、前記首プロテクタが前記首下プロテクタの装着孔に挿入された状態の前記首プロテクタと前記首下プロテクタとを外形状に沿って覆うとともに、前記首プロテクタおよび前記首下プロテクタに固定されるカバーを備える、ことを特徴とする。
【００１０】
請求項３に記載の発明は、請求項１または２に記載の防弾具において、前記首下プロテクタが、人体の前面側に位置する前面プロテクタと、人体の背面側に位置する背面プロテクタとから構成され、前記前面プロテクタと背面プロテクタとが人体の両肩の稜線に沿って接合されている、ことを特徴とする。
【００１１】
請求項４に記載の発明は、請求項１から３のいずれか１項に記載の防弾具において、前記首プロテクタが既存の防弾服の首挿入孔に挿入できるように前記首プロテクタの外径が設定され、前記首プロテクタを前記首挿入孔に対して挿入または外すことで、前記既存の防弾服に着脱自在となっていることを特徴とする。
【００１２】
請求項５に記載の発明は、防弾材で構成された筒状で、人体の首周りを保護する首プロテクタと、防弾材で構成され、前記首プロテクタが挿入される装着孔が形成され、人体の首より下側を保護する胴部プロテクタと、前記首プロテクタの外周面の下端部に固定されるとともに、前記首プロテクタの外周面の全周に延び、前記首プロテクタが前記装着孔に挿入された状態で前記胴部プロテクタの装着孔の周縁部を前記首プロテクタの下端から所定距離以上に位置させる帯状のストッパとを備える、ことを特徴とする防弾服である。
【発明の効果】
【００１３】
請求項１に記載の発明によれば、首下プロテクタは、首プロテクタの下端から所定距離以上に位置するように配設されている。つまり、首プロテクタの下端部（下端から所定距離部分）が首下プロテクタに固定されたストッパによってカバーされている。このため、首プロテクタの下端部に銃弾が当たることがなく、首プロテクタの下端部より上側にのみ銃弾が当たる。そして、下端部より上側では銃弾が曲がることなく止まり、人体の首を銃弾などから的確に保護することができる。すなわち、人体の首に当たった銃弾が、曲がって人体内に入るのを防止することができる。
【００１４】
請求項２に記載の発明によれば、首プロテクタと首下プロテクタとを外形状に沿って覆うカバーは、首プロテクタおよび首下プロテクタに固定されるので、首下プロテクタの上方への位置ずれを防止することができる。
【００１５】
請求項３に記載の発明によれば、首下プロテクタの前面プロテクタと背面プロテクタとが人体の両肩の稜線に沿って接合されているため、首下プロテクタが剛性の高い防弾材で構成されていても、前面プロテクタと背面プロテクタとが人体側に曲がり、首下周りに密着して装着することができる。
【００１６】
請求項４に記載の発明によれば、防弾具は、首挿入孔を有する既存の防弾服に着脱自在であるので、既存の防弾服にこの防弾具を取り付けることで、既存の防弾服を着ていても、人体の首を銃弾などから的確に保護することができる。
【００１７】
請求項５に記載の発明によれば、首プロテクタの外周面の下端部に固定される帯状のストッパにより、胴部プロテクタの装着孔の周縁部が首プロテクタの下端から所定距離以上に位置するようになるので、請求項１に記載の発明と同様に、人体の首を銃弾などから的確に保護することができる。
【発明を実施するための最良の形態】
【００１８】
以下、この発明を図示の実施の形態に基づいて説明する。
【００１９】
(実施の形態１)
図１は、この実施の形態に係る防弾具１を示す正面図である。この防弾具１は、銃弾や刃物などから人体の首を保護する防具であり、主として、首プロテクタ２と、首下プロテクタ３と、カバー４とを備えている。
【００２０】
首プロテクタ２は、図２、３に示すように、防弾材で構成された筒状で、人体の首周りを保護する保護部材である。具体的には、例えば、軽量で高強度、高耐磨耗性、高衝撃吸収性を有する繊維（アラミド繊維やポリエチレン繊維などの高強度繊維）で構成された薄いシート状の防弾材を複数積層し、この積層シートが円筒状に形成され、円筒内に人体の頭部が出し入れできる大きさとされている。また、図３（ｂ）に示すように積層シートの両端部がテーパ状に形成され、両端部（両テーパ部）を重ねるようにして接合されている。さらに、首プロテクタ２の下端は水平に形成され、上端は、人体の前面側が高く人体の背面側が低くなるように勾配が形成され、上端部は、図２に示すように、その勾配に沿って縫い止め（結束）されている。
【００２１】
このような首プロテクタ２の外周面の下端部には、図４に示すように、首プロテクタ２の外周面の全周に延びる帯状のストッパ５が設けられている。このストッパ５は、後述するようにして首下プロテクタ３の位置を保持できるものであれば、どのような材質で構成されていてもよいが、この実施の形態では、表面層として、防弾材が配設されている。
【００２２】
このストッパ５の下端は、首プロテクタ２の下端と同一面上（面一）に配設され、ストッパ５の高さＨ、つまり、首プロテクタ２の下端からストッパ５の上端までの高さＨは、次のように設定されている。すなわち、本発明者は調査、研究の結果、銃弾Ｍが首プロテクタ２の下端部に当たると、銃弾Ｍは首プロテクタ２で止まらず、その軌道を変えて人体（胴体）に向かう。このため、首（人体）を的確に保護するには、銃弾Ｍが首プロテクタ２の下端部に当たらないようにすることが必要である、という結論を得るに至った。この結論から、後述するようにして、首下プロテクタ３を首プロテクタ２の下端から所定距離以上に位置させて、銃弾Ｍが首プロテクタ２の下端部に当たらないようにするために、ストッパ５を設けたものである。
【００２３】
そして、このような目的から、ストッパ５の高さＨは、銃弾Ｍが当たっても首プロテクタ２で銃弾Ｍが止まる高さ以上である必要がある。つまり、銃弾Ｍが止まらない領域を図４に示すように非防弾域部（下端部）２Ａとした場合に、ストッパ５の高さＨは、非防弾域部２Ａの高さ以上である必要があり、首プロテクタ２の材質や厚み（防弾強度）や剛性などに基づいて設定される。ここで、首プロテクタ２や首下プロテクタ３の防弾強度などによっては、後述するようにして首下プロテクタ３が配設された状態で、首下プロテクタ３の上面の高さが非防弾域部２Ａの高さ以上になるように、ストッパ５の高さＨを設定してもよい。
【００２４】
また、ストッパ５は、１箇所または数箇所において首プロテクタ２に縫い付け（縫い止め）られており、この実施の形態では、２箇所で縫い付けられ、その縫い目５ａは、ストッパ５の上端部および下端部の全周に沿って設けられている。ここで、このようなストッパ５が設けられている首プロテクタ２の非防弾域部２Ａより上側、つまり銃弾Ｍが曲がらずに止まる領域を防弾有効部２Ｂとする。
【００２５】
首下プロテクタ３は、図２、３に示すように、防弾材で構成されたシート状で、首プロテクタ２が挿入される装着孔３ａが形成され、人体の首下周りを保護する保護部材である。具体的には、例えば、軽量で高強度、高耐磨耗性、高衝撃吸収性を有する繊維（アラミド繊維やポリエチレン繊維などの高強度繊維）で構成された薄いシート状の防弾材を複数積層し、この積層シートの中央部に、首プロテクタ２の外径よりやや大きい円形の装着孔３ａが形成されている。また、この首下プロテクタ３は、人体の前面側に位置する前面プロテクタ３１と、人体の背面側に位置する背面プロテクタ３２とから構成され、前面プロテクタ３１と背面プロテクタ３２とが人体の両肩の稜線に沿って接合されている。言い換えると、接合ラインが人体の両肩の稜線に沿うように、前面プロテクタ３１と背面プロテクタ３２とが接合されている。このため、前面プロテクタ３１および背面プロテクタ３２の各防弾材（積層された各シート）が、接合ラインを基点にして容易に曲がるようになっている。
【００２６】
そして、首プロテクタ２が装着孔３ａに挿入され、首下プロテクタ３（装着孔３ａの周縁部）が首プロテクタ２の下端から所定距離以上に位置するように配設されている。すなわち、首プロテクタ２を装着孔３ａに挿入していき、ストッパ５が首下プロテクタ３に当たった時点で、首下プロテクタ３が首プロテクタ２の非防弾域部２Ａより上に位置するように配設されている。
【００２７】
カバー４は、このようにして組み付けられた首プロテクタ２と首下プロテクタ３とを、その内・外形状に沿って覆うカバーである。このカバー４は、数箇所において首プロテクタ２および首下プロテクタ３に接合、固定されている。特に、首プロテクタ２が首下プロテクタ３を貫通する近傍の貫通部２ａおよび被貫通部３ｂ（図３（ａ）参照）において、カバー４が固定され、これにより、首下プロテクタ３が上方に位置ずれ（移動）しないようになっている。
【００２８】
このようなカバー４が配設された状態で、図５に示すように、首プロテクタ２が既存の防弾服Ｐの首部（首挿入孔）Ｐ１に挿入できるように、首プロテクタ２の外径が設定されている。これにより、首プロテクタ２を首部Ｐ１に挿入することで、防弾具１を防弾服Ｐに取り付けられ、首プロテクタ２を首部Ｐ１から外すことで、防弾具１を防弾服Ｐから取り外せるようになっている。つまり、防弾具１が既存の防弾服Ｐに着脱自在となっている。
【００２９】
そして、このような構成の防弾具１と既存の防弾服Ｐとを人体に装着するには、まず、人体の頭部を首プロテクタ２内に挿入して防弾具１をかぶり（装着し）、その上から、既存の防弾服Ｐを装着すればよい。ここで、既存の防弾服Ｐは、ポンチョのように被るものであってもよいし、前開きが可能なものであってもよい。
【００３０】
以上のように、この防弾具１によれば、首プロテクタ２の非防弾域部２Ａが首下プロテクタ３によってカバーされているため、首プロテクタ２の非防弾域部２Ａに銃弾Ｍが当たることがなく、首プロテクタ２の防弾有効部２Ｂにのみ銃弾Ｍが当たる。そして、防弾有効部２Ｂでは銃弾Ｍが曲がることなく止まり、人体の首を銃弾Ｍなどから的確に保護することができる。また、ストッパ５が首下プロテクタ３に当たるまで首プロテクタ２を装着孔３ａに挿入するだけで、容易に、首下プロテクタ３が首プロテクタ２の非防弾域部２Ａより上に位置するように配設することができる。
【００３１】
しかも、ストッパ５によって、首下プロテクタ３が首プロテクタ２の非防弾域部２Ａよりも下がらないため、確実に人体の首を保護することができる。さらに、ストッパ５がその上端部おいて首プロテクタ２に縫い付けられているため、図４に示すように、銃弾Ｍが首プロテクタ２とストッパ５との堺目に当たった場合でも、銃弾Ｍが首プロテクタ２とストッパ５とによって挟まれた状態となり、銃弾Ｍを止めることができる。
【００３２】
また、首プロテクタ２の上部に当たった銃弾Ｍは上方に滑る傾向、性質があるが、首プロテクタ２の上端部が縫い止められているため、この縫い止めによって銃弾Ｍが上方に滑るのを抑制する（ブレーキをかける）ことができる。同様に、銃弾Ｍが首プロテクタ２に当たることでそのスピードが落ち、さらに、ストッパ５が首プロテクタ２に縫い止められていることで、銃弾Ｍにブレーキをかかり、銃弾Ｍを止めることができる。
【００３３】
一方、首下プロテクタ３が前面プロテクタ３１と背面プロテクタ３２から構成され、それらが人体の両肩の稜線に沿って接合されている。このため、首下プロテクタ３が剛性の高い防弾材で構成されていても、図３（ａ）の二点鎖線で示すように、前面プロテクタ３１と背面プロテクタ３２とが人体側（重力側）に曲がって、首下周りに密着して装着され、首下周りを適性に保護することができる。さらに、既存の防弾服Ｐに着脱自在なため、既存の防弾服Ｐにこの防弾具１を取り付けることで（防弾具１と防弾服Ｐを人体に装着することで）、既存の防弾服Ｐを着ていても人体の首を銃弾Ｍなどから的確に保護することができる。
【００３４】
(実施の形態２)
図６は、この実施の形態に係る防弾服１０の内部構造、つまりカバーを外した状態を示す正面図である。ここで、実施の形態１と同等の構成については、同一符号を付することで、その説明を省略する。
【００３５】
この防弾服１０は、首プロテクタ２と胴部プロテクタ６とを備えている。胴部プロテクタ６は、防弾材で構成され、首プロテクタ２が挿入される装着孔６ａが形成され、人体の首より下側を保護する保護部材であり、人体の腹部下側周りまで延びる点で、首下プロテクタ３と構成が異なる。また、首プロテクタ２が装着孔６ａに挿入された状態で、胴部プロテクタ６の装着孔６ａの周縁部が実施の形態１と同様にストッパ５により首プロテクタ２の下端から所定距離以上、つまり非防弾域部２Ａより上に位置するように配設されている。ここで、胴部プロテクタ６は、一体の部材で構成してもよいし、複数の部材で構成してもよい。
【００３６】
そして、このような構成の防弾服１０によれば、この防弾服１０を人体に装着することで、実施の形態１と同様にして、人体の首を銃弾Ｍなどから的確に保護することができるとともに、人体の首より下側をも保護することができる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、首下プロテクタ３や胴部プロテクタ６が、ストッパ５によって首プロテクタ２の非防弾域部２Ａより上に位置するようにしているが、その他の手段によってもよい。例えば、首下プロテクタ３を非防弾域部２Ａより上に位置させた状態で、首下プロテクタ３を首プロテクタ２に固定（接合）してもよい。あるいは、首下プロテクタ３の装着孔３ａの周縁部の肉厚を非防弾域部２Ａの高さ以上とすることで、非防弾域部２Ａをカバーするようにしてもよい。また、実施の形態１では、首プロテクタ２を首部Ｐ１に出し入れすることで、防弾具１を防弾服Ｐに着脱自在にしているが、防弾服Ｐに人体の肩を前後に通るバンドがある場合には、そのバンドを通す通し孔を防弾具１のカバー４に設けることで、着脱自在にしてもよい。
【産業上の利用可能性】
【００３８】
以上のように、この発明に係る防弾具および防弾服は、人体の首を銃弾などから的確に保護することができるものとして極めて有用である。
【図面の簡単な説明】
【００３９】
【図１】この発明の実施の形態１に係る防弾具を示す正面図である。
【図２】図１の防弾具の首プロテクタと首下プロテクタの分解斜視図である。
【図３】図２の首プロテクタと首下プロテクタとを組み付けた状態を示す正面図（ａ）と平面図（ｂ）である。
【図４】図２の首プロテクタの下端部の状態を示す拡大図である。
【図５】図１の防弾具を防弾服に取り付けた状態を示す正面図である。
【図６】この発明の実施の形態２に係る防弾服の内部構造を示す正面図である。
【図７】防弾材の端部に銃弾が当たった場合の銃弾の軌道を示す図である。
【図８】首プロテクタの下端と首下プロテクタの内端とを当接させた状態を示す断面図である。
【図９】繊維製の防弾材を折り曲げて、人体の首周りと首下周りを保護する構成とした断面図である。
【符号の説明】
【００４０】
１          防弾具
２          首プロテクタ
２Ａ        非防弾域部
２Ｂ        防弾有効部
３          首下プロテクタ
３ａ        装着孔
３１        前面プロテクタ
３２        背面プロテクタ
４          カバー
５          ストッパ
５ａ        縫い目
６          胴部プロテクタ
１０        防弾服
Ｍ          銃弾
Ｐ          防弾服
Ｐ１        首部
【要約】      （修正有）【課題】人体の首を銃弾などから的確に保護する。【解決手段】防弾材で構成された筒状で、人体の首周りを保護する首プロテクタ２と、防弾材で構成されたシート状で、首プロテクタ２が挿入される装着孔３ａが形成され、人体の首下周りを保護する首下プロテクタ３とを備え、首プロテクタ２が装着孔３ａに挿入され、首下プロテクタ３が首プロテクタ２の非防弾域部よりも上に位置するように配設されている防弾具とする。これにより、銃弾は首下プロテクタ３より上の首プロテクタ２の防弾有効部に当たり、防弾有効部によって曲がることなく止まる。【選択図】図２【図１】
0004235678.tif 000002
【図２】
0004235678.tif 000003
【図３】
0004235678.tif 000004
【図４】
0004235678.tif 000005
【図５】
0004235678.tif 000006
【図６】
0004235678.tif 000007
【図７】
0004235678.tif 000008
【図８】
0004235678.tif 000009
【図９】
0004235678.tif 000010